(57)【要約】      （修正有）【課題】カメラのストラップに関し、２台のカメラを同時に使える肩掛け式のショルダーストラップを提供する。【解決手段】カメラのショルダーストラップにおいて、少なくとも、１つのストラップ紐と、１つのパッド部材と、１つの吊金具部材、から構成され、その特徴は、前述ストラップ紐は、長さ調整できる紐であり、前述パッド部材のなかにスポンジを有し、該ストラップ紐の下面に吊金具部材を設け、該吊金具部材にリングがあり、ストラップ紐がリングを貫通し、吊金具部材の下方にフック部を設け、カメラにロックする，前述吊金具部材のリングがストラップ紐に摺動自在であり、ストラップ紐に止めバックルを設ける。【選択図】図２
0003154690.tif 000002
【実用新案登録請求の範囲】
【請求項１】
カメラのショルダーストラップであって、少なくとも、１つのストラップ紐と、１つの吊金具部材、から構成され、その特徴は、前述ストラップ紐は、長さ調整できる紐であり；該ストラップ紐の下面に吊金具部材を設け、該吊金具部材にリングがあり、ストラップ紐がリングを貫通し、吊金具部材の下方にフック部を設け、カメラにロックする，前述吊金具部材のリングがストラップ紐に摺動自在であり、ストラップ紐に止めバックルを設けることを特徴とするカメラのショルダーストラップ。
【請求項２】
前記吊金具部材は、連結部材とロックすることを特徴とする請求項１に記載のカメラのショルダーストラップ。
【請求項３】
前記連結部材は、回転盤を有し、該回転盤の下方にねじロッドを設けたことを特徴とする請求項２に記載のカメラのショルダーストラップ。
【請求項４】
カメラのショルダーストラップであって、少なくとも、２つのストラップ紐と、２つの吊金具部材と、２つの連接ベルトから構成され、その特徴は、前述ストラップ紐は、長さ調整できる紐であり；該ストラップ紐の下面に吊金具部材を設け、カメラにロックする；前述連接ベルトには、第１連接ベルトと第２連接ベルトがあって、２つのストラップ紐を連接する、前述吊金具部材がストラップ紐に摺動自在であり、ストラップ紐に第１止めバックルと第２止めバックルを設けることを特徴とするカメラのショルダーストラップ。
【請求項５】
前記吊金具部材は、連結部材とロックすることを特徴とする請求項４に記載のカメラのショルダーストラップ。
【請求項６】
前記連結部材は、回転盤を有し、該回転盤の下方にねじロッドを設けたことを特徴とする請求項５に記載のカメラのショルダーストラップ。
【請求項７】
前記第１連接ベルトは、第１止めバックルの上方に設けることを特徴とする請求項４に記載のカメラのショルダーストラップ。
【請求項８】
前記第２連接ベルトは、第１止めバックルと第２止めバックルの間に設けることを特徴とする請求項４に記載のカメラのショルダーストラップ。
【請求項９】
前記２つのストラップ紐は、正面に連接部材を設けることを特徴とする請求項４に記載のカメラのショルダーストラップ。
【考案の詳細な説明】
【技術分野】
【０００１】
この考案はカメラのストラップに関し、特に肩掛け式のショルダーストラップに関する。
【背景技術】
【０００２】
図１に従来のカメラのストラップを開示する。図面によれば、カメラ１の両側にストラップ２を設けて、ストラップ２の両端にリングを有し、カメラ両側の固定環に取り付け、ストラップ２を首に掛けって、カメラを前面に置き、写真を撮る時は、すぐカメラを前から取って、便利であった。
【考案の開示】
【考案が解決しようとする課題】
【０００３】
前述従来のカメラのストラップは便利であったが、重さのあるカメラ長い時間たってば、そうではなかった、まして、２台のカメラを同時に使えるときには、不便は兎も角、繊細な良いカメラは押し合いで、機能可笑しくなる事もあり得る。
この考案は、以上の問題を解決するのカメラのストラップを提供することを課題とする。
【課題を解決するための手段】
【０００４】
そこで、本考案者は従来の技術に見られる欠点に鑑み鋭意研究を重ねた結果、カメラのショルダーストラップにおいて、少なくとも、１つのストラップ紐と、１つのパッド部材と、１つの吊金具部材、から構成され、その特徴は、前述ストラップ紐は、長さ調整できる紐であり；前述パッド部材のなかにスポンジが有し、該ストラップ紐の下面に吊金具部材を設け、該吊金具部材にリングがあり、ストラップ紐がリングを貫通し、吊金具部材の下方にフック部を設け、カメラにロックする，前述吊金具部材のリングがストラップ紐に摺動自在であり、ストラップ紐に止めバックルを設けることを特徴とするカメラのショルダーストラップ。
前記吊金具部材は、連結部材とロックする。
前記連結部材は、回転盤を有し、該回転盤の下方にねじロッドを設けた。
カメラのショルダーストラップであって、少なくとも、２つのストラップ紐と、２つの吊金具部材と、２つの連接ベルトから構成され、その特徴は、前述ストラップ紐は、長さ調整できる紐であり；該ストラップ紐の下面に吊金具部材を設け、カメラにロックする；前述連接ベルトには、第１連接ベルトと第２連接ベルトがあって、２つのストラップ紐を連接する、前述吊金具部材がストラップ紐に摺動自在であり、ストラップ紐に第１止めバックルと第２止めバックルを設けることを特徴とするカメラのショルダーストラップ。
前記吊金具部材は、連結部材とロックする。
前記連結部材は、回転盤を有し、該回転盤の下方にねじロッドを設けた。
前記第１連接ベルトは、第１止めバックルの上方に設ける。
前記第２連接ベルトは、第１止めバックルと第２止めバックルの間に設ける。
前記２つのストラップ紐は、正面に連接部材を設ける。
【考案の効果】
【０００５】
この考案によれば、カメラのストラップが肩から斜めに掛けって、首に掛ける重さはより軽い、まして、２つのカメラ使おうときも腰の両側に置いたうえ、カメラの押し合いこともなく、長い時間写真とるもより気軽安心できる。
【実施例】
【０００６】
図２に、第１の実施例によるランプ構造の断面図を開示する。図面によれば、カメラのショルダーストラップ３において、少なくとも、１つのストラップ紐３１と、１つのパッド部材３２と、１つの吊金具部材３３、から構成され、ストラップ紐３１は、長さ調整できる紐である。ストラップ紐３１の上に、パッド部材３２と、第１止めバックル３１１と、第２止めバックル３１２を設けった。
パッド部材３２の中にスポンジを設けた。
吊金具部材３３にリング３３１が有し、ストラップ紐３１がその中に貫通し、リング３３１の下面にフック部３３２が設けて、フック部３３２は連結部材３４とロック連結する。
連結部材３４は、回転盤３４１を有し、回転盤３４１の下方にねじロッド３４２を設けた、ねじロッド３４２で、カメラ底面の三脚穴と合わせる。
図３によれば、フック部３３２がカメラ４傍の固定環４１に引っ掛ける。リング３３１がストラップ紐３１の上に摺動自在であるから、カメラ４を上げって写真とると、撮った後、手離しても、摺動自在で傍に戻る。図４〜６に示すように、吊金具部材３３のフック部３３２が連結部材３４に引っ掛けて、さらに、連結部材３４のねじロッド３４２で、カメラ底面の三脚穴とねじ合わせる。同時に、連結部材３４の回転盤３４１を回転すると、連結部材３４とカメラの連結が速められる。なお、カメラ４のレンズ４２は長いレンズの場合、レンズ４２に固定部材４２１を設けて、固定部材４２１に複数のねじ孔４２１１を設け、ねじロッド３４２と螺着して、リング３３１がストラップ紐３１の上に摺動自在であるゆえ、カメラ４を上げって写真とると、撮った後、手離しても、摺動自在で傍に戻る。
図７に示すのように、２台のカメラ４，４‘を同時に持つときには、２つのストラップ紐３１を、第１連接ベルト３１３と第２連接ベルト３１４で、結合する、さらに、２つのストラップ紐３１の前面に連接部材３１５を設けて、第１連接ベルト３１３は第１止めバックル３１１の上方と、第１止めバックル３１１とパッド部材３２の間に設けて、第２連接ベルト３１４は、第１止めバックル３１１と第２止めバックル３１２の間に設け、連接部材３１５は固定部３１５１でストラップ紐３１の前面に取り付ける。
図８，９に示すのように、２台のカメラ４，４‘を同時に持つときには、ストラップ紐３１を身に着用し、２つのストラップ紐３１を両肩に掛けて、前面の連接部材を連結し、カメラ４，４’をストラップ紐３１下方の連結部材３４に螺着し、或いは、フック部３３２でカメラ４傍の固定環４１に引っ掛ける（図に示されて居ない）。従って、カメラ４，４‘は、使用者の両側に置き、カメラの押し合いことは回避できる。
使用する際、図１０に示すように、カメラ４から，カメラ４‘に切り替えるときには、カメラ４を直接手離して、カメラ４がリング３３１より、ストラップ紐３１に沿って、滑り落ちって、第２止めバックル３１２の設置で、滑りすぎのぶつかることが避けられる（図１１参照）。
【図面の簡単な説明】
【０００７】
【図１】従来のカメラのストラップを示した説明図である。
【図２】この考案のカメラのショルダーストラップの分解斜視図である。
【図３】この考案のカメラのショルダーストラップのカメラ吊り下げ説明図である。
【図４】この考案のカメラのショルダーストラップの着用説明図である。
【図５】この考案のカメラのショルダーストラップのカメラ使用説明図である。
【図６】この考案のカメラのショルダーストラップのレンズ吊り下げ説明図である。
【図７】第２実施例の立体斜視図である。
【図８】第２実施例の着用正面図である。
【図９】第２実施例の着用背面図である。
【図１０】第２実施例の使用説明図である。
【図１１】第２実施例の使用説明図である。
【符号の説明】
【０００８】
１         カメラ
２         ストラップ紐
３         ショルダーストラップ
３１       ストラップ紐
３１１     第１止めバックル
３１２     第２止めバックル
３１３     第１連接ベルト
３１４     第２連接ベルト
３１５     連接部材
３１５１   固定部
３２       ストラップパッド
３３       吊金具部材
３３１     リング
３３２     フック部
３４       連結部材
３４１     回転盤
３４２     ねじロッド
４         カメラ
４１       固定環
４２       レンズ
４２１     固定部材
４２１１   ねじ孔
４‘       カメラ
【図１】
0003154690.tif 000003
【図２】
0003154690.tif 000004
【図３】
0003154690.tif 000005
【図４】
0003154690.tif 000006
【図５】
0003154690.tif 000007
【図６】
0003154690.tif 000008
【図７】
0003154690.tif 000009
【図８】
0003154690.tif 000010
【図９】
0003154690.tif 000011
【図１０】
0003154690.tif 000012
【図１１】
0003154690.tif 000013